(57)【要約】【課題】可燃性廃棄物を詰めた袋内に金属片の混入の有無をハンド式の金属探知器を利用して検査でき、しかも何処にでも容易に持ち運びできる金属片混入検査装置を提供する。【解決手段】持ち運び可能な金属片混入検査装置１０は、保持台１１と被検査物である可燃廃棄物収納袋２０を収容する受け部１９とを備えている。保持台１１は、金属探知器１４のセンサー部１４ａを着脱可能に保持する保持手段１５を有している。金属探知器１４は、センサー部１４ａとそれから延びるグリップ部１４ｂとを備えており、保持手段１５で保持された金属探知器１４のセンサー部１４ａに隣接する位置には隔壁板１８が配置され、受け部１９と保持台１１の保持手段１５とを仕切っている。【選択図】図１
2007139481.tif 000002
【特許請求の範囲】
【請求項１】
センサー部と該センサー部から延びるグリップ部とを備え、前記センサー部を被検査物に接近させて金属の存否を調べる金属探知器と、該金属探知器の前記センサー部を着脱可能に保持する少なくとも１つの保持手段を有する保持台と、前記保持手段により保持された前記金属探知器の前記センサー部に隣接する位置に配置され、前記金属探知器により金属探知を行う前記被検査物を収容する受け部とを含み、
前記受け部と前記保持台の前記保持手段とが隔壁で仕切られていることを特徴とする持ち運び可能な金属片混入検査装置。
【請求項２】
前記受け部が、被検査物受け台に形成され、該被検査物受け台が、前記保持台に対して非接触で支持されている請求項１に記載の持ち運び可能な金属片混入検査装置。
【請求項３】
前記保持台が、底面と該底面とは反対側の上面とを備え、前記保持手段が前記上面に設けられ、前記保持手段が前記底面から７５ｃｍ以上離れている請求項１又は２に記載の持ち運び可能な金属片混入検査装置。
【請求項４】
前記金属探知器の前記センサー部が、前記グリップ部の長手方向に長い長円形の外形を呈し、前記保持手段が、前記センサー部を保持する複数の係止部材から構成され、前記係止部材の少なくとも１つが前記センサー部における長径側の一端部に当接する位置にストッパーとして設けられ、前記係止部材の少なくとも２つが、前記センサー部の短径側最大幅位置より僅かに前記グリップ部の方向へ寄った曲面部を押さえる位置で前記センサー部の短径側両外側面に接するように設けられ、かつ前記センサー部の内側に向かう復帰力を有する可撓性の部材で形成されている請求項１〜３のいずれかに記載の持ち運び可能な金属片混入検査装置。
【請求項５】
前記被検査物が、袋に入れた可燃性廃棄物である請求項１〜４のいずれかに記載の持ち運び可能な金属片混入検査装置。
【発明の詳細な説明】
【技術分野】
【０００１】
本発明は、持ち運び可能な金属片混入検査装置に関し、さらに詳細には袋詰めされた可燃性の廃棄物をハンド式の金属探知器を用いて袋内に金属片の混入があるか否かを検査する持ち運び可能な金属片混入検査装置に関する。
【背景技術】
【０００２】
一般に、火力施設などで発生する可燃性廃棄物を焼却炉で処理する場合は、そのままの状態でトラック等により火力施設外の公共の焼却炉に搬送し、可燃性廃棄物を焼却炉に投入する段階で、焼却炉の前処理装置によって金属片を分離し、可燃物のみを焼却している。
【０００３】
しかしながら、原子力施設では、管理正域内で発生した雑固体廃棄物を可燃物と金属片とに仕分けし、更に、金属片については種類別に仕分けし、全ての廃棄物を様々な管理形態で最終処分をする必要があり、また、焼却炉への搬送過程で管理区域、被管理区域間の移動を伴うことから、すべての廃棄物を一度多数の収納袋に詰め、これら収納袋に収納された状態で金属片等を探知し、選別するシステムとしている。
【０００４】
しかし、上述したように可燃物と金属片とを仕分けして収納袋に詰めても、可燃性廃棄物を詰めた袋（以下、可燃廃棄物収納袋という）内に金属片が混入していることがある。可燃廃棄物収納袋に金属片が混入していると焼却炉の損傷を招くばかりではなく、焼却灰のその後の処分に影響を及ぼす恐れがあった。
【０００５】
かかる焼却炉の損傷を防ぐためやその後の焼却灰の処分を容易に行うために、可燃廃棄物が収納された袋を焼却前に金属探知器で点検していた。この点検により可燃廃棄物収納袋内に金属片の混入が判明した場合には、その袋を開けて金属片の混入を調べる必要があり、これは非常に手間の掛かる作業であった。このような場合、とりわけ、可燃性廃棄物が放射性廃棄物であった場合には、防護服を着た作業員が汚染拡散防止のため区画されたエリアなどで可燃廃棄物収納袋を開けて金属片混入の確認作業を行うことから、その確認作業が非常に大がかりとなり、時間と労力が掛かる、という問題があった。
【０００６】
従来では、可燃廃棄物収納袋内への金属片混入の有無を小型の金属探知器で検査していた。小型の金属探知器は、特許文献１などに開示されているように良く知られている。可燃廃棄物収納袋内への金属片の混入を調べるのに実際に使用している金属探知器は、作業者が片手で持てる大きさのもので、「ハンド式の金属探知器」として市販されている。
【特許文献１】特開２００１−１３３５６０号公報
【発明の開示】
【発明が解決しようとする課題】
【０００７】
ハンド式の金属探知器は、図２に示されているように外形が長円形をしたループ状のセンサー部とそのセンサー部における長径側の一端部から外側に延びるグリップ部とから構成されている。従来では、作業員が、ハンド式の金属探知器のグリップ部を手で握り、センサー部を可燃廃棄物収納袋の外面に摺接させるように動かして内部に混入している金属片を検知していた。
【０００８】
しかし、ハンド式の金属探知器は、これを手に持って動かすと建家の床や壁に埋設されている鉄筋に反応してアラーム等の警報を発するため可燃廃棄物収納袋内に混入している可能性のある金属片を精度良く検知することが難しい、という問題があった。特に、この作業では、可燃廃棄物収納袋を建家の床に置いた状態でハンド式の金属探知器におけるセンサー部を可燃廃棄物収納袋に擦るように移動するため、センサー部が建家の床に接近し易く、従ってハンド式の金属探知器における誤動作が多く、信頼性に欠ける、という問題があった。可燃廃棄物収納袋に金属片の混入が無いにもかかわらず金属探知器の誤動作でアラーム等の警報が出ると、その都度、可燃廃棄物収容袋内を点検しなければならないため、前述したようにその確認作業に多大な時間と労力が掛かる。
【０００９】
そこで、かかる可燃廃棄物収納袋内への金属片の混入を検査する装置の開発が検討されたが、近年のコスト低減化の流れからこの種の金属混入検査を高級かつ大がかりな装置で行うことは経済的に難しく、今まで使用していていたハンド式の金属探知器を利用して安定した検査を行える装置の提供が望まれた。
【００１０】
この発明の目的は、かかる従来の問題点を解決するためになされたもので、可燃性廃棄物を詰めた袋内への金属片の混入の有無をハンド式の金属探知器を利用して検査でき、しかも何処にでも容易に持ち運びできる金属片混入検査装置を提供することにある。
【課題を解決するための手段】
【００１１】
前述した技術的課題を解決するために本発明は以下のように構成されている。すなわち、本発明に係る持ち運び可能な金属片混入検査装置は、センサー部と該センサー部から延びるグリップ部とを備え、前記センサー部を被検査物に接近させて金属片の存否を調べる金属探知器と、該金属探知器の前記センサー部を着脱可能に保持する少なくとも１つの保持手段を有する保持台と、前記保持手段に保持された前記金属探知器の前記センサー部に隣接する位置に配置され、前記金属探知器により金属探知を行う前記被検査物を収容する受け部とを含み、前記受け部と前記保持台の前記保持手段とが隔壁で仕切られていることを特徴とする。
【００１２】
本発明に係る持ち運び可能な金属片混入検査装置は、前述した必須の構成要素からなるが、その構成要素が具体的に以下のような場合であってもよい。その具体的構成要素とは、前記受け部が、被検査物受け台に形成され、該被検査物受け台が、前記保持台に対して非接触で支持されていることである。
【００１３】
また、本発明に係る持ち運び可能な金属片混入検査装置の他の特徴は、前記保持台が、底面と該底面とは反対側の上面とを備え、前記保持手段が前記上面に設けられ、前記保持手段が前記底面から７５ｃｍ以上離れていることにある。
【００１４】
さらに、本発明に係る持ち運び可能な金属片混入検査装置の他の特徴は、前記金属探知器の前記センサー部が、前記グリップ部の長手方向に長い長円形の外形を呈し、前記保持手段が、前記センサー部を保持する複数の係止部材から構成され、前記係止部材の少なくとも１つが前記センサー部における長径側の一端部に当接する位置にストッパーとして設けられ、前記係止部材の少なくとも２つが、前記センサー部の短径側最大幅位置より僅かに前記グリップ部の方向へ寄った曲面部を押さえる位置で前記センサー部の短径側両外側面に接するように設けられ、かつ前記センサー部の内側に向かう復帰力を有する可撓性の部材で形成されていることである。また、本発明に係る持ち運び可能な金属片混入検査装置では、前記被検査物が、袋に入れた可燃性の廃棄物であることも特徴としている。
【発明の効果】
【００１５】
本発明に係る持ち運び可能な金属片混入検査装置によると、所謂、ハンド式の金属探知器を利用し、そのセンサー部を保持手段で着脱可能に保持するようにしているので、安価に製作することができるばかりではなく、センサー部を保持する保持手段を備えた保持台と、金属探知器により金属探知を行う被検査物を収容する受け部とから構成されているだけなので、持ち運びが容易であり、あらゆる場所に簡単に移動して用いることができる。
【００１６】
また、本発明に係る持ち運び可能な金属片混入検査装置では、被検査物を収容する受け部が、被検査物受け台に形成され、この被検査物受け台が、保持台に対して非接触で支持されているので、被検査物を被検査物受け台の受け部に乗せて動かしても金属探知器を保持している保持台が動くことはなく、金属探知器の誤動作を防ぐことができ、精度の高い検査を行うことができる。
【００１７】
さらに、本発明に係る持ち運び可能な金属片混入検査装置では、前記センサー部を保持する保持手段が複数の係止部材で構成され、これら係止部材の少なくとも１つが、ループ状のセンサー部における長径側の一端部に当接する位置にストッパーとして設けられ、少なくとも２つが、センサー部の短径側最大幅位置より僅かにグリップ部の方向へ寄った曲面部を押さえる位置でセンサー部の短径側両外側面に接するように設けられていると共にセンサー部の内側に向かう復帰力を有する可撓性の部材で形成されているので、センサー部を保持手段にワンタッチで着脱することができ、金属片混入検査装置の使用準備を迅速に行うことができる。
【発明を実施するための最良の形態】
【００１８】
以下、本発明に係る持ち運び可能な金属片混入検査装置を添付の図に示された好適な実施形態についてさらに説明する。図１は、本発明の一実施形態に係る持ち運び可能な金属片混入検査装置（以下、金属片混入検査装置という）１０を示す斜視図、図２は、金属片混入検査装置１０の一部を拡大して示す部分的な平面図、図３は図２の３−３線で切断して示す断面図である。この金属片混入検査装置１０は、平坦な底面１１ａと、それぞれ相対向する平坦な両側面１１ｂ及び両端面１１ｃとから構成される保持台１１を備えている。この保持台１１の上面は、底面１１ａ側に大きく窪んだ凹部１２となっており、この凹部１２は、図１に示されるように端面側から見て台形状を呈している。すなわち、保持台１１の上面は、凹部１２の底面１２ａと、その両側から斜めに立設した傾斜面１２ｂと、これら傾斜面１２ｂの上端縁から側面１１ｂの上端縁に連続する平坦面１２ｃとから構成され、該凹部１２は、端面１１ｃの方向にも開放している。図１において、便宜的に、保持台１１の両端面１１ｃが、対向する方向を縦方向Ｙと称し、保持台１１の両側面１１ｂが対向する方向を横方向Ｘと称する。
【００１９】
凹部１２の底面１１ａと相対向する傾斜面１２ｂとには、矩形状の凹所１３が形成され、該凹所１３の一端は保持台１１の一方の端面１１ｃ側に開放している。この凹所１３内には、金属探知器１４を着脱可能に係着する保持手段１５が設けられている。この保持手段１５は、凹所１３の底面に取り付けられた複数の係止部材１６，１７から構成されている。これらの係止部材６，１７の詳細については後述する。
【００２０】
凹所１３内に配置される金属探知器１４は、ループ状のセンサー部１４ａと該センサー部１４ａの一端部から延びるグリップ部１４ｂとを備えるもので、これは、ハンド式の金属探知器として市販されている。市販されているハンド式の金属探知器１４では、電源スイッチ、感度調整つまみ、バッテリーチェッカーなどを備える操作部１４ｃがグリップ部１４ｂに設けられている。このような金属探知器１４におけるループ状のセンサー部１４ａは、グリップ部１４ｂの長手方向に長い長円形の外形をしており、従って、グリップ部１４ｂが延びる「センサー部１４ａの一端部」とは、該センサー部１４ａの長径側の一端部を言う。
【００２１】
保持手段１５は、このハンド式の金属探知器１４を凹所１３内に着脱可能に取り付けるためのもので、複数の係止部材１６，１７は、図１，図２に示されるように、金属探知器１４におけるグリップ部１４ｂの長手方向が保持台１１の縦方向Ｙに一致するようにセンサー部１４ａを凹所１３内に置くとき、凹所１３内でセンサー部１４ａを取り外し可能に固定する機能を有する。このような係止部材１６，１７は、金属探知器１４のセンサー部１４ａを直接押さえる係止片１６ａ，１７ａと、これを凹所１３の底面で支持するベース板１６ｂ，１７ｂとから構成されている。係止部材１６，１７は、例えば合成樹脂材などで形成され、係止片１６ａ，１７ａとベース板１６ｂ，１７ｂとは一体的に作られている。
【００２２】
これらの係止部材１６，１７のうち、２つの係止部材１６は、センサー部１４ａにおける長径側の他端部に当接する位置にストッパーとして設けられ、また２つの係止部材１７は、その係止片１７ａがセンサー部１４ａの短径側最大幅（Ｗ）位置より僅かにグリップ部１４ｂ方向へ寄った曲面部を押さえる位置でセンサー部１４ａの短径側両外側面に接するように設けられており、これらの係止片１７ａは、プラスチック製の薄板などからなる可撓性部材で形成され、センサー部１４ａの内側へ向かう復帰力を備えている。各係止部材１６，１７における係止片１６ａ，１７ａの上端部は、図３から明らかなように僅かにセンサー部内側に屈曲していて、センサー部１４ａにおけるループ部の外側上縁部を覆うように形成されている。
【００２３】
上述した保持手段１５を有する保持台１１の上面、すなわち凹部１２には、図１に示されるように該凹部１２の表面を覆う隔壁板１８が配置され、その上部空間が被検査物である可燃廃棄物収納袋２０（図５参照）を配置する受け部１９とされている。この隔壁板１８は、凹部１２の底面１２ａと横方向両側の傾斜面１２ｂとに密着するように一枚の板部材を逆台形状に折り曲げて形成されている。隔壁板１８は、保持台１１における凹部１２内の表面に接着剤などにより貼り付けて固定されている。
【００２４】
隔壁板１８が、保持台１１における凹部１２内の表面に接着剤などで離脱不能に固定されると、金属探知器１４を保持する保持手段１５が設置されている凹所１３は、隔壁板１８によってその上面側が塞がれるので、金属探知器１４の凹所１３内への配置と取り出しは、保持台１１の端面１１ｃ側に開放した凹所１３の開口から行う。すなわち、作業者は、金属探知器１４のグリップ部１４ｂを手に持ち、保持台１１の端面１１ｃ側に開放した開口から凹所１３内に挿入する。図２から明らかなようにセンサー部１４ａが配置される予定位置の開口側両外側にはそれぞれ係止部材１７の係止片１７ａがあり、その間隔はセンサー部１４ａの短径側最大幅寸法Ｗより僅かに小さいので、センサー部１４ａの長径側他端部が入り込むと、両係止片１７ａを外側に僅かに押し戻して撓ませながら通過し、センサー部１４ａの長径側他端部が係止部材１６の係止片１６ａに当接する。
【００２５】
そのとき、２つの係止部材１７における係止片１７ａは、センサー部１４ａの短径側最大幅（Ｗ）位置より僅かにグリップ部１４ｂ方向へ寄った曲面部を押さえる位置にくるのでこれら係止片１７ａの復帰力によりセンサー部４ａは容易に外れない程度に保持される。このようにして金属探知器１４のセンサー部１４ａが凹所１３内で保持されるとき、グリップ部１４ｂは、保持台１１の端面１１ｃ側に開放した開口から飛び出しており、金属探知器１４を保持台１１に取り付けた後でもグリップ部１４ｂに設けられている操作部１４ｃを保持台１１の外側から操作して電源のオンオフや感度の調整を行うことができる。
【００２６】
次に、被検査物である可燃廃棄物収納袋２０内に金属片が混入しているか否かを検査する手順を説明する。上述したように保持台１１の凹所１３内にハンド式の金属探知器１４におけるセンサー部１４ａを保持させてグリップ部１４ｂに設けられている操作部１４ｃの電源スイッチを入れると、センサー部１４ａは金属片混入検査装置１０が置かれている建家の床（図示せず）に埋設されている鉄筋に感応して警報を発することがある。この種の金属探知器１４の特性から、金属探知器１４と鉄筋との位置関係が変化しない場合、鉄筋に発生する渦電流によりセンサー部１４ａを流れる電流値が増加し、アラーム感度設定値が高くなってそれがベース値となることから警報が停止する。したがって、保持台１１にセットされた金属探知器１４が建家の床面に多少接近した位置にあってもその位置関係を変化させない限り警報が出続けることはない。
【００２７】
その後、受け部１９に可燃廃棄物収納袋２０を配置し、該可燃廃棄物収納袋２０を隔壁板１８上で動かし、金属探知器１４のセンサー部１４ａによる金属片混入検査を行う。受け部１９では、金属探知器１４と可燃廃棄物収納袋２０とが隔壁板１８により非接触の状態にあるので、可燃廃棄物収納袋２０を受け部１９で回転させたりしても金属探知機１４が動くことはない。従って、金属探知器１４と建家スラブ内の鉄筋との位置関係に変化は起らないので、その可燃廃棄物収納袋２０内に金属片などの混入がない限り警報が出ることはなく、建家の鉄筋などに感応した誤動作を完全に防ぐことができる。
【００２８】
一般に、このようなハンド式の金属探知器１４では、鉄筋コンクリート製建家内で床面から４０〜７５ｃｍ離れれば、内部の鉄筋に感応して警報を発する確率は極めて低くなる。そのため、金属片混入検査装置１０の保持台１１において、ハンド式の金属探知器１４を保持手段１５にセットする高さを７５ｃｍ以上とすれば、誤動作の防止がより確実になる。
【００２９】
可燃廃棄物収納袋２０の金属混入検査が終了すると、金属探知器１４は保持台１１から取り外される。その取り外しは、金属探知器１４のグリップ部１４ｂを持って凹所１３から強く引き抜く。すると、２つの係止片１７ａが相対的にセンサー部１４ａの短径側最大幅（Ｗ）位置に移動するため、各係止片１７ａはセンサー部１４ａの外側面に摺接しながら僅かに広がってセンサー部１４ａの通過を可能とし、凹所１３内から容易に取り外される。金属片混入検査装置１０では、取っ手２１が保持台１１における上部の各平坦面１２ｃに設けられているので、これを持って金属片混入検査装置１０を必要な場所に簡単に移動して可燃破棄物収納袋２０における金属片混入の検査を行うことができる。
【００３０】
図１に示される実施形態では、隔壁板１８を保持台１１における凹部１２内の表面に接着剤などで固定した場合を例にしたが、隔壁板１８と該隔壁板１８の各面にそれぞれ対向する凹部１２内の各表面とをクッション性のある比較的に小さなスペーサ片を介して接着してもよい。すなわち、便宜的に、図１に点線で示すように、スポンジ又はフェルト等などのようなクッション性のある材料で形成された円形のスペーサ片２２の両円形面に接着剤を塗布しておき、これらスペーサ片２２を介して隔壁板１８を凹部１２内の表面に貼着する。このようにクッション性のあるスペーサ片２２を介在させて隔壁板１８と保持台１１とを固着すれば、両者が直接接触することはなく、しかもスペーサ片２２がクッションともなるため、受け部１９に配置した可燃廃棄物収納袋２０を隔壁板１８上で動かしても保持台１１にその振動や揺れが伝わり難く、金属探知器１４の位置変化を防ぐことができる。
【００３１】
また、前述したスペーサ片２２に代えて、隔壁板１８と該隔壁板１８の各面にそれぞれ対向する凹部１２内の各表面とに雌型と雄型の接着布を貼り付け、これら接着布により隔壁板１８を保持台１１に着脱自在に取り付けるようにしてもよい。このような接着布を用いて隔壁板１８を保持台１１に対して着脱自在にすれば、金属探知器１４のセンサー部１４ａを凹部１２の内表面側から保持手段１５に装着することができる。その場合の装着手順としては、金属探知器１４のグリップ部１４ｂを持ってそのセンサー部１４ａの長径側他端部を２つの係止部材１６における係止片１６ａに当接させるように斜めに凹所１３内に入れ、次いでグリップ部１４ｂを凹所１３の底面側に押しつけると、２つの係止部材１７における係止片１７ａの上端縁がセンサー部１４ａの外周縁に当接しながら押し開かれて広がり、２つの係止片１７ａ間にセンサー部１４ａのグリップ部側が挟持され、所定の保持力により固定される。
【００３２】
その後、隔壁板１８を凹所１２内に配置し、相互に対面する面どうしに設けられた雌型と雄型の接着布で連結する。金属探知器１４を取り外すときには、隔壁板１８を取り外してから先の取り付け手順とは逆の操作をすればよい。或いは、前述したように隔壁板１８で塞がれた凹所１３の端面側に現れる開口から引き抜いてもよい。隔壁板１８を接着布で保持台１１の凹部１２内表面に固着するようにすると、この接着布がスペーサとなって隔壁板１８と保持台１１とが直接接触することなく、しかも接着布がクッションともなるため、受け部１９に乗せた可燃廃棄物収納袋２０を隔壁板１９上で動かしても保持台１１にその振動や揺れが伝わり難く、金属探知器１４の位置変化を防ぐことができる。
【００３３】
図４は、この発明の他の実施形態に係る金属片混入検査装置３０を示す斜視図、図５は、図４の５−５線で切断して示す概略的な断面図である。この金属片混入検査装置３０は、保持台３１と、受け部３２とから構成され、受け部３２は被検査物受け台３３に形成されている。保持台３１は、中実の箱形状をしており、底面３１ａと、この底面３１ａとは反対側の上面３１ｂと、周面を形成している２つの側面３１ｃおよび２つの端面３１ｄとを備えている。いま、図４が金属片混入装置３０を前方側から見ている状態を示しているとすると、保持台３１の上面は、前方から後方に向かって下り傾斜している。この傾斜した上面３１ｂには、上方と前方に開放する凹所１３が形成されている。この凹所１３と該凹所１３内に設けられている保持手段１５とは、図１〜図３に示された実施形態の金属混入検査装置１０と同様であるのでその詳細な説明は省略する。
【００３４】
この保持台３１の上部には、該保持台３１を跨ぐように被検査物受け台３３が配置されている。この被検査物受け台３３は、図５から明らかなように保持台３１の両側面３１ｃに沿い、かつ該各側面３１ｃから僅かな間隔をあけて立設した脚部３４ａ，３４ｂと、該脚部３４ａ，３４ｂの上方部に跨架された支持部３５とから構成された架台３６を備えている。筒状の受け部３２は、支持部３５の上部に形成されている。
【００３５】
支持部３５は、図４に便宜的に引いた二点差線より上方部分である。脚部３４ａ，３４ｂ間の上部を仕切っている支持部３５の底面３５ａは、保持台３１の傾斜した上面３１ｂに対して僅かな間隔をあけ、かつほぼ平行である。筒状の受け部３２は、支持部３５の底面３５ａに近接した上方にあって前方に開放して形成され、内径が後方へ向かって漸次減少している。この受け部３２の長手方向中心軸線３７（図５参照）は、保持台３１の上面３１ｂにほぼ平行であり、従って受け部３２は、正面側から見て後方へ下り傾斜している。この受け部３２の後方は閉鎖されている。なお、保持台３１を跨いで配置されている脚部３４ａ，３４ｂ間の後方は、閉鎖されていても開放されていてもよい。
【００３６】
次に、この実施形態に係る金属片混入検査装置３０の操作手順について説明する。保持台３１の上面３１ｂに形成されている凹所１３内にハンド式の金属探知器１４におけるセンサー部１４ａを挿入し、保持手段１５により保持させる。凹所１３から突出しているグリップ部１４ｂに設けられている操作部１４ｃの電源スイッチを入れると、センサー部１４ａは金属片混入検査装置３０が置かれている建家の床に埋設されている鉄筋に感応して警報を発することがある。この警報音は暫くすると停止することは前述したとおりである。
【００３７】
その後、被検査物受け台３３の前方に開いた開口から受け部３２内に可燃廃棄物収納袋２０を入れ、該受け部３２内で可燃廃棄物収納袋２０を前述した長手方向中心軸線３７を中心に回転する等して金属探知器１４のセンサー部１４ａによる金属片混入検査を行う。この金属片混入検査装置３０では、受け部３２を形成している被検査物受け台３３と保持台３１とが、非接触の状態にあるので、可燃廃棄物収納袋２０を受け部３２内で回転させたりしても被検査物受け台３３の振動や揺れが保持台３１に伝わることはなく、従って、金属探知機１４が動くことはない。その結果、金属探知器１４と建家スラブ内の鉄筋との位置関係に変化は起らないので、その可燃廃棄物収納袋２０内に金属片などの混入がない限り警報が出ることはなく、建家の鉄筋などに感応した誤動作を完全に防ぐことができる。
【００３８】
この実施形態の金属片混入検査装置３０では、保持台３１と被検査物受け台３３とが完全に分離していることから、これを移動するにも保持台３１と被検査物受け台３３とを別々に運ぶことができるので非常に容易であり、また移動後の組み立てについても、被検査物受け台３３における脚部３４ａ間のスペースに保持台３１を前方側から押し込むだけなので、極めて容易である。
【００３９】
なお、前述した各実施形態に係る金属片混入検査装置１０，３０において、保持台１１，３１、隔壁板１８，被検査物受け台３３などは比較的に剛性のある紙材や合成樹脂材料などで製作することが好ましい。また、保持台１１，３１は、発泡スチロールブロックの周面をプラスチック板で覆うことで形成すると、非常に軽量で、かつ金属探知器に感応することもないので非常に好ましい。
【図面の簡単な説明】
【００４０】
【図１】本発明の一実施形態に係る金属片混入検査装置を概略的に示す斜視図。
【図２】図１に示される金属片混入検査装置の一部を拡大して示す部分的な平面図。
【図３】図２の３−３線で切断して示す断面図。
【図４】本発明の他の実施形態に係る金属片混入検査装置を概略的に示す斜視図。
【図５】図４の５−５線で切断して示す断面図。
【符号の説明】
【００４１】
１０，３０    金属片混入検査装置
１１，３１    保持台
１２    凹部
１３    凹所
１４    金属探知器
１４ａ    センサー部
１４ｂ    グリップ部
１５    保持手段
１６，１７    係止部材
１６ａ，１７ａ    係止片
１８    隔壁板
１９，３２    受け部
２０    可燃廃棄物収納袋
３３    被検査物受け台
【図１】
2007139481.tif 000003
【図２】
2007139481.tif 000004
【図３】
2007139481.tif 000005
【図４】
2007139481.tif 000006
【図５】
2007139481.tif 000007